(57)【特許請求の範囲】
【請求項１】
複数の停止位置を有する上下に移動可能なスライドスイッチと表示部とを備えた携帯電話機において、
複数の停止位置を有するスライドスイッチが可動下限位置及び可動上限位置以外の位置に在る範囲では、
スライドスイッチの現在の停止位置からスライドスイッチを一つだけ上または下の停止位置に動かしたとき、表示画面の内容を１行だけ、それぞれ下または上に移動させ、
スライドスイッチが、可動下限位置に移動された時点で下から上に、可動上限位置に移動された時点で上から下に、表示画面のスクロール動作を連続的に行うものであって、
前記スクロール動作の速度は、可動上限位置または可動下限位置に到達するまでに単位時間当たりに通過した停止位置の数に対応して決定されることを特徴とするスライドスイッチによるスクロール方法。
【請求項２】
上下に移動可能なスライドスイッチと表示部を備えた携帯電話機であって、
スライドスイッチと対向して携帯電話機側に、スライドスイッチの可動上限位置と可動下限位置と、可動上限位置と可動下限位置の間に複数の停止位置とが設けられ、スライドスイッチを、任意の停止位置から一つだけ上の停止位置に動かすと同時に、表示部に表示された表示行を下に１行ずつ移動させ、任意の停止位置から一つだけ下の停止位置に動かすと同時に、表示部に表示された表示行を上に１行ずつ移動させ、
スライドスイッチが、可動下限位置に移動された時点で上に、可動上限位置に移動された時点で下に、表示画面のスクロール動作を連続的に行い、スライドスイッチを、可動下限位置又は可動上限位置に隣接する停止位置に移動することにより、スクロールの連続動作を停止させるものであって、
前記スクロール動作の速度は、可動上限位置または可動下限位置に到達するまでに単位時間当たりに通過した停止位置の数に対応して決定されることを特徴とする携帯電話機。
【請求項３】
前記スライドスイッチを携帯電話機の側面部に搭載したことを特徴とする請求項２に記載の携帯電話機。
【請求項４】
前記スライドスイッチを携帯電話機の前面部に搭載したことを特徴とする請求項２に記載の携帯電話機。
【請求項５】
上下に移動可能なスライドスイッチと表示部を備えた携帯電話機であって、スライドスイッチ内部に可変抵抗を設け、スライドスイッチを可動上限位置と可動下限位置の間で移動させることにより可変抵抗の抵抗値を連続的に変化させ、抵抗値の変化による電圧変化を携帯電話機で検知し、スライドスイッチの可動上限位置と可動下限位置と、可動上限位置と可動下限位置の間を複数の中間位置に分割して弁別し、スライドスイッチを、任意の中間位置から一つだけ上の中間位置に動かすと同時に、表示部に表示された表示行を下に１行ずつ移動させ、任意の中間位置から一つだけ下の中間位置に動かすと同時に、表示部に表示された表示行を上に１行ずつ移動させ、スライドスイッチが、可動下限位置に移動された時点で上に、可動上限位置に移動された時点で下に、表示画面のスクロール動作を連続的に行い、スライドスイッチを、可動下限位置又は可動上限位置に隣接する中間位置に移動することにより、スクロールの連続動作を停止させるものであって、
前記スクロール動作の速度は、可動上限位置または可動下限位置に到達するまでに単位時間当たりに通過する中間位置の数に対応して決定されることを特徴とする携帯電話機。
【発明の詳細な説明】
【０００１】
【発明の属する技術分野】
本発明は、携帯電話機における画面表示に関し、特に表示画面の操作容易なスクロール方法とそれを具備した携帯電話機に関する。
【０００２】
【従来の技術】
携帯電話機において、電話番号や人名の表示・登録、文章作成の際の変換候補の表示・設定等、画面に表示される情報は、携帯電話機の高機能化に伴い、益々多様かつ多量になる傾向にある。その結果、携帯電話機の限られた表示画面を用いて多量の情報を表示し選択する操作を容易化することは重要な課題となっている。
【０００３】
一般に、画面表示の切替やスクロールの操作には、ボタンの押下による方法や１次元的に移動できるスライドスイッチによる方法などが用いられる。
【０００４】
ボタンの押下によるスクロールの操作では、スクロールの際、指で何度もボタンを押さなければならないとか、携帯電話機に予め設定されているスクロールの移動速度で常に使用せざるを得ないなど、個々の使用者の意思が反映できるようにはなっていなかった。
【０００５】
スクロール中に表示される全体の情報量や表示情報内容に対する認識の難易度に適合したスクロール速度になっていない場合には、表示画面がスクロール中に行き過ぎたりして何度もスクロールさせるため、頻繁に押し直さなければならず不便である。
【０００６】
また、スクロールスイッチを押下してからスクロールが始まるまでの時間が使用者の意思とは関係なく携帯電話機によって決まってくるため、使用している携帯電話機の操作に慣れるまでは非常に不便を感じることになる。
【０００７】
画面表示の切替やスクロールの操作に、１次元的に移動できるスライドスイッチやスクロールレバーを用いた方法も開発されている。例えば、特開平６−１５２７１１号公報（先行例１）には、直線的なスライダ移動により表示画面上に表示された文字を選択するスライド手段を備えた電話機が開示されている。
【０００８】
先行例１は、電話番号に対応する相手先名を５０音カナ文字又は英文字による情報によって記憶部へ登録する際の文字情報の入力方法として、直線的なスライダ移動により文字を選択するスライド手段を用いるものである。
【０００９】
この場合、例えば、英文字２６文字を選択するためには、スライド手段の往動操作による片側操作で１３文字を選択し、復動操作によって残りの１３文字を選択するように構成される。又５０音カナ文字の場合では、スライド手段を２往復させて選択するように構成されている。これによれば、スライド手段の分解能の範囲で、比較的簡単な操作で文字を選択し宛名入力を行なうことができる。
【００１０】
また、特開２０００−２５３２８６号公報（先行例２）には、直線的に移動できるスクロールレバーを備えたビデオカメラが開示されている。
先行例２は、撮像された画像を表示画面に表示し、画像の全体が画面に収まり切らない場合にも、Ｘ方向とＹ方向の二つのスクロールレバーを操作して、画像をスクロールさせるものである。
【００１１】
この際、スクロールレバー移動範囲に限界があるため、例えば、Ｙ方向スクロールレバーが上方向の限界に達したとき、さらに、表示画像を上方向にスクロールさせる必要がある場合には、別に設けたタッチキーを操作する。このタッチキーは、スクロールレバーの機能を停止させるもので、このタッチキーがタッチ操作されている間は、Ｘ方向とＹ方向のスクロールレバーを移動させても、スクロールが行なわれない。
【００１２】
したがって、Ｙ方向スクロールレバーの移動範囲に限界にきたとき、このタッチキーをタッチした状態でＹ方向スクロールレバーを戻した後、タッチ状態を解除してＹ方向スクロールレバーを上方向に移動させることにより、表示画像をさらに上方向へスクロールさせることができるものである。
【００１３】
先行例１や先行例２のようなスライドスイッチやスクロールレバーを用いたスクロール動作は、一般に、スライドスイッチやスクロールレバーの移動可能範囲を電気的に弁別可能な間隔で分割して接点を設け、この接点の通過を、スライドスイッチやスクロールレバーが取り付けられた本体側の検出点で検出して画面を移動させるものである。
【００１４】
したがって、使用者が操作する際のスライドスイッチやスクロールレバーの移動速度が、そのまま表示画面の移動速度に反映されるという点では、使用者が期待する任意のスクロール速度で使用できる利点がある。
【００１５】
【発明が解決しようとする課題】
しかしながら、スライドスイッチやスクロールレバーで表示画面をスクロールさせながら目的の表示を確実に選択できるためには、スライドスイッチやスクロールレバーの移動範囲内に表示候補全体を収めることは一般に難しく、先行例１のように何回かの往復操作によって全体をスクロールさせるとか、先行例２のように、スクロール禁止キーを合わせて操作しながら、スクロールレバーを繰り返し操作するなどの方法を採ることとなり、操作が煩雑となるとともに、使用者の感覚に必ずしもそぐわない操作手順とならざるを得ない。
【００１６】
本発明の目的は、携帯電話機の表示画面のスクロール操作において上記課題を解決し、常に使用者の望むスクロール速度を反映させることができ、尚且つ操作が簡便なスクロール手段とそれを備えた携帯電話機を提供することにある。
【００１７】
【課題を解決するための手段】
前記目的を達成するため、本発明によるスクロール方法は、複数の停止位置を有する上下に移動可能なスライドスイッチと表示部とを備えた携帯電話機において、
複数の停止位置を有するスライドスイッチが可動下限位置及び可動上限位置以外の位置に在る範囲では、
スライドスイッチの現在の停止位置からスライドスイッチを一つだけ上または下の停止位置に動かしたとき、表示画面の内容を１行だけ、それぞれ下または上に移動させ、
スライドスイッチが、可動下限位置に移動された時点で下から上に、可動上限位置に移動された時点で上から下に、表示画面のスクロール動作を連続的に行うものであって、
前記スクロール動作の速度は、可動上限位置または可動下限位置に到達するまでに単位時間当たりに通過した停止位置の数に対応して決定されるものである。
【００１９】
また、本発明による携帯電話機は、上下に移動可能なスライドスイッチと表示部を備えた携帯電話機であって、
スライドスイッチと対向して携帯電話機側に、スライドスイッチの可動上限位置と可動下限位置と、可動上限位置と可動下限位置の間に複数の停止位置とが設けられ、スライドスイッチを、任意の停止位置から一つだけ上の停止位置に動かすと同時に、表示部に表示された表示行を下に１行ずつ移動させ、任意の停止位置から一つだけ下の停止位置に動かすと同時に、表示部に表示された表示行を上に１行ずつ移動させ、
スライドスイッチが、可動下限位置に移動された時点で上に、可動上限位置に移動された時点で下に、表示画面のスクロール動作を連続的に行い、スライドスイッチを、可動下限位置又は可動上限位置に隣接する停止位置に移動することにより、スクロールの連続動作を停止させるものであって、
前記スクロール動作の速度は、可動上限位置または可動下限位置に到達するまでに単位時間当たりに通過した停止位置の数に対応して決定されるものである。
【００２１】
また、前記スライドスイッチを携帯電話機の側面部に搭載したものである。
【００２２】
また、前記スライドスイッチを携帯電話機の前面部に搭載したものである。
【００２４】
また、上下に移動可能なスライドスイッチと表示部を備えた携帯電話機であって、スライドスイッチ内部に可変抵抗を設け、スライドスイッチを可動上限位置と可動下限位置の間で移動させることにより可変抵抗の抵抗値を連続的に変化させ、抵抗値の変化による電圧変化を携帯電話機で検知し、スライドスイッチの可動上限位置と可動下限位置と、可動上限位置と可動下限位置の間を複数の中間位置に分割して弁別し、スライドスイッチを、任意の中間位置から一つだけ上の中間位置に動かすと同時に、表示部に表示された表示行を下に１行ずつ移動させ、任意の中間位置から一つだけ下の中間位置に動かすと同時に、表示部に表示された表示行を上に１行ずつ移動させ、スライドスイッチが、可動下限位置に移動された時点で上に、可動上限位置に移動された時点で下に、表示画面のスクロール動作を連続的に行い、スライドスイッチを、可動下限位置又は可動上限位置に隣接する中間位置に移動することにより、スクロールの連続動作を停止させるものであって、
前記スクロール動作の速度は、可動上限位置または可動下限位置に到達するまでに単位時間当たりに通過する中間位置の数に対応して決定されるものである。
【００２５】
【発明の実施の形態】
本発明は、携帯電話機にスライドスイッチを搭載し、これを用いて使用者にとって使いやすい表示画面のスクロール機能を提供するものである。以下、本発明の実施の形態を図により説明する。
【００２６】
図１は、本発明によるスライドスイッチを備えた携帯電話機の外観図である。図１において、携帯電話機３の一方の側面に、スライドスイッチ１が搭載される。スライドスイッチ１を移動方向４に示すように上下に移動させることにより、携帯電話機３の表示器２に表示された表示画面がスクロールする。
【００２７】
この時、携帯電話機３は、スライドスイッチ１の上下移動の移動方向と移動量を検知するだけではなく、移動速度を併せて検知することによって、表示画面のスクロール方向とスクロール量とスクロール速度をスライドスイッチ１の動きに追随させることができる。
【００２８】
以上のような構成と制御方法を採ることにより、携帯電話機３によってスクロール量が固定的に決定されることはなくなり、使用者の思い通りに画面２をスクロールさせることができるものとなる。
【００２９】
（第１の実施の形態）本発明の第１の実施形態を図により詳細に説明する。図２は、図１に示した携帯電話機の正面図である。携帯電話機３の側面にはスライドスイッチ１が装備されており、スライドスイッチ１を移動方向４に沿って上下にスライドして移動することにより、携帯電話機３はスライドされた移動量を検知し、表示器２に表示された表示内容をスクロールする。いま、例として、表示器２に｛１：ＡＡＡ｝〜｛１３：ＭＭＭ｝の１３行が表示されている場合を示している。なお、表示画面の表示行のうち、中央の枠５で囲った行位置に目的とする情報が表示された時点で表示内容を選択し確定する。
【００３０】
図３は、図２のスライドスイッチ１の部分を拡大して示したスライドスイッチ部の構成図である。図３のスライドスイッチ１は、携帯電話機３の側面を矢印１２で示した範囲と方向でスライドする。点線１３はスライドスイッチ１が矢印１１の方向にスライドし、スライドの下限まで動いたときの停止位置である。携帯電話機３の表示情報は表示器２に表示される。
【００３１】
スライドスイッチ１が点線１３のスライド位置まで動くとき、携帯電話機３の内部にある保持機構によって数カ所の停止位置を通過しながら動く。各停止位置によって携帯電話機３は、スライドスイッチ１がどこの場所にいるかを検知する。また、各停止位置は内部の機構により停止させることができ、スライドスイッチ１から手を離しても動かないようになっている。
【００３２】
スライドスイッチ１の動きを、図４を用いて詳しく説明する。図４は、図３をさらに拡大したスライドスイッチ部の構成図である。スライドスイッチ部は、携帯電話機３とこれに接して設けられたスライドスイッチ１から成り、携帯電話機３側には、スライドスイッチ１がスライドするときに保持される停止位置が複数設けられる。
【００３３】
図４には、これらの停止位置に対応して、説明の便宜上、目盛１４として数字を付して示している。また、スライドスイッチ１の中心点１６は、スライドスイッチ１と、目盛１４で示される停止位置との対応を規定するための基準点となるものである。いま、図４では、スライドスイッチ１は、目盛１４の２の位置に在る場合を示している。ここで、矢印１２は、スライドスイッチ１の中心点１６が移動できる範囲を示している。
【００３４】
スライドスイッチ１は、目盛１４のどこにでも停止させることができる。したがって、矢印１２の範囲で目盛１４の１の可動上限位置から目盛１４の９の可動下限位置までスライドスイッチ１を動かしたとき、移動途中に８つの停止位置を持つことになる。
【００３５】
すなわち、図４に例示したこのスライドスイッチ１は、現在停止中の位置を含めて、全部で９つの停止位置を持つものである。ここで、便宜上、目盛１４の１の停止位置を可動上限位置、目盛１４の９の停止位置を可動下限位置と呼び、目盛１４の２から目盛１４の８までの中間に在る停止位置と区別することにする。したがって、以降、単に停止位置と呼ぶ場合には、目盛１４の２から目盛１４の８までの中間に在る停止位置を指すこととする。
【００３６】
スライドスイッチ１の中心点１６が、目盛１４のどの番号の停止位置に在る場合にも、携帯電話機３の側面に対して垂直な方向、すなわち矢印１９の方向にスライドスイッチ１を押すことができる。この操作によって携帯電話機３の選択位置に表示されている項目を決定することができる。表示の選択位置は、図２の枠５に示したように、通常、表示画面の中央の行位置に設定される。
【００３７】
スライドスイッチ１の中心点１６が図４の目盛１４の２の位置と８の位置の間で移動させる限りは、スライドスイッチ１の位置を１目盛だけ上または下に動かしたときは、表示画面の内容は１行ずつ下又は上に動く。たとえば、スライドスイッチ１を目盛１４の５の位置から２の位置まで３つ上方向に位置を動かしたときは、表示画面の内容も３行だけ下方向に動き、新たに上の３行が追加されて表示されることになる。
【００３８】
図５は、表示画面のスクロール動作を説明する動作図である。図５のデータ２０のように配列された表示データを想定する。初期に表示された画面が表示画面２１のようになっているものと仮定すると、スライドスイッチ１を一つ下げると、表示画面２２の表示に変わる。
【００３９】
また一つスライドスイッチ１を下げると、表示画面２３のようになる。ここで、スライドスイッチ１を一つ上げると２２の表示画面に戻る。このように表示内容はスライドスイッチ１の動きと連動して変化する。
【００４０】
一方、図４において、スライドスイッチ１を可動上限位置すなわち目盛１４の１の位置、または可動下限位置すなわち目盛１４の９の位置まで動かしたときは、表示されるデータは連続して動く。この時、データ２０のデータはループしながら自動的にスクロール動作を続ける。
【００４１】
この際、スライドスイッチ１が可動上限位置に在るときには、表示行は上から下に向かって連続的に移動し、スライドスイッチ１が可動下限位置に在るときには、表示行は下から上に向かって連続的に移動するようにスクロール動作する。
【００４２】
スクロールが連続している時、スライドスイッチ１が可動上限位置、つまり図４の目盛１４の１の位置にあるときはスライドスイッチ１を一つ下、目盛１４の２の位置に移動させることによって表示の自動スクロールを停止させることができる。
【００４３】
また、スライドスイッチ１が可動下限位置、つまり図４の目盛１４の９の位置に在るときには、一つ上、目盛１４の８の位置にスライドスイッチ１を移動させることによって表示の自動スクロールを止めることができる。ここで、可動上限位置または可動下限位置に戻したときは再び画面は連続的にスクロールを開始する。
【００４４】
携帯電話機の使用者が選択するべきデータが、表示器２内の選択位置にきたときは、スライドスイッチ１を図４の矢印１９の方向に押すことによって所望の表示行を選択し決定できる。
【００４５】
データを選択するときの動作を図４、図６を用いて説明する。図６は、階層構造をとるデータに対して、表示画面のスクロール動作を行いながら目的のデータを決定する過程を示す処理図である。
【００４６】
図６において、データ２８は階層構造をとるデータである。たとえば、データ２８の中にある目的とするデータ｛５：１ＥＥ｝を選択する場合を考える。目的のデータ｛５：１ＥＥ｝は、第１階層のデータ：｛１３：ＭＭＭ｝中の第２階層のデータ：｛１３：５ＭＭ｝中の第３階層のデータの一つとして逐次選択することにより得ることができる。
【００４７】
初期において、表示画面２９が携帯電話機３に表示されているものとする。また、スライドスイッチ１の位置が図４の目盛１４の８の位置にあるとする。この状態でスライドスイッチ１を図４の目盛１４の３の位置まで５つ上に動かす。これにより表示行は下に５行移動し、画面表示はスライドスイッチ１の動作にあわせて表示画面３０に変わる。
【００４８】
表示画面３０には、第１階層のデータ：｛１３：ＭＭＭ｝が、中央の選択位置に表示されているので、ここでスライドスイッチ１を押し選択を決定する。決定と同時に表示画面が切り替わり、第１階層のデータ：｛１３：ＭＭＭ｝に含まれる下位の第２階層のデータが表示画面３１のように表示される。
【００４９】
表示画面３１には、目的とする第２階層のデータ：｛１３：５ＭＭ｝は現れていないので、ここで、スライドスイッチ１を目盛１４の９の位置まで動かし自動スクロールさせたのち、スライドスイッチ１を１つ上の目盛１４の８の位置まで戻し、連続スクロールを停止させた結果、表示画面３２になったとする。
【００５０】
表示画面３２において、目的とする第２階層のデータ：｛１３：５ＭＭ｝は先頭行に表示されているので、この行を２行下げて選択位置に移動させるためにスライドスイッチ１を操作する。いま、スライドスイッチ１は図４の目盛１４の８の位置にあり、スライドスイッチ１を図４の目盛１４の６の位置まで移動させると、表示画面３３が得られる。
【００５１】
ここでスライドスイッチ１を押し決定すると、表示内容は表示画面３４に切り替わり、第２階層のデータ：｛１３：５ＭＭ｝に含まれる下位の第３階層の候補データの表示画面となる。表示画面３４の最終行には、目的とする第３階層のデータ：｛５：１ＥＥ｝が表示されているので、この行を２行上げて選択位置に移動させるためにスライドスイッチ１を操作する。いま、スライドスイッチ１は目盛１４の６の位置にあり、スライドスイッチ１を目盛１４の８の位置まで移動させると、表示画面３５が得られ、目標のデータに到達できる。
【００５２】
以上の例により説明したように、スライドスイッチ１の目盛１４の２から８の移動範囲内の移動で目的とする情報が得られるか否か、或いは、目的とする情報が画面表示内容に含まれているか否かを判断しながら、スライドスイッチ１の移動量に対応した段階的スクロール動作と連続スクロール動作とを組み合わせて操作することにより、簡便な操作で、かつ高速に目的とするデータに到達することが可能となる。
【００５３】
図２では、スライドスイッチ１が、携帯電話機３の側面に装着された場合を実施例として示したが、スライドスイッチの取り付け位置は、携帯電話機のいずれの場所であっても構わないものである。図７に、携帯電話機の他の構成例を示す。図７においても、携帯電話機２４は、表示器２５とスライドスイッチ２６を備えているが、図７の構成例では、スライドスイッチ２６は、携帯電話機２４の前面に取り付けられている。
【００５４】
（第２の実施の形態）本発明の第２の実施形態を図により説明する。図８は、第２の実施の形態によるスクロール動作を示す動作図である。
【００５５】
図４において、スライドスイッチ１を可動下限位置まで動かすとき、ある位置から可動下限位置までのスライドスイッチ１の移動速度を携帯電話機３が検知し、その移動速度に対応したスクロール速度で表示内容をスクロールする。
【００５６】
たとえば、図４における目盛１４の１目盛を１段として、スライドスイッチ１の移動量を規定し、図８（ａ）のようにスライドスイッチ１の移動速度と、表示画面のスクロール速度をあらかじめ対応付けておく。
【００５７】
すなわち、図８（ａ）に例示するように、スライドスイッチ１が、或る停止位置から１秒間に５段、すなわち５目盛を越える移動速度で、可動上限位置または可動下限位置まで到達した場合には、これに対応して表示画面の表示行の移動速度を、秒当たり８行のスクロール速度にして連続スクロールさせるように制御する。
【００５８】
同様に、スライドスイッチ１が、２段より大きく５段以下の移動速度で可動上限位置または可動下限位置まで到達した場合には、秒当たり５行のスクロール速度にして連続スクロールさせる。
【００５９】
スライドスイッチ１が、２段以下の移動速度で可動上限位置または可動下限位置まで到達した場合には、秒当たり２行のスクロール速度に落として連続スクロールさせるものである。
【００６０】
この制御を実現するために、使用者がスライドスイッチ１を動かしているときに、携帯電話機３は、スライドスイッチ１の移動速度を常時監視し、スライドスイッチ１が、図４の可動上限位置又は可動下限位置に移動されたとき、図８（ａ）に規定した速度で、データ２７が表示された表示画面をスクロールして連続的に移動させる。
【００６１】
このようにすると携帯電話機の使用者の思い通りにスクロール速度を変えることができ、使い易い画面移動となる。図８（ｂ）は、図８（ａ）に例示したスライドスイッチ１の移動速度と表示画面の移動速度の関係を図示したものであり、スライドスイッチ１が可動上限位置に移動してきたときの移動速度に従って、図８（ｂ）の矢印の長さに対応する行数で、画面の下方移動速度が変わる様子を表わしている。
【００６２】
図４では、スライドスイッチ１は９段の停止位置を持つ場合について説明したが、特に９段に限定されるものではなく、これより多くても少なくてもよい。ただし、本願発明の連続スクロール動作を可能とするためには、連続スクロールを実行する可動上限位置と可動下限位置と、スライドスイッチ１の移動量に応じて上下に段階的にスクロールするための２つ以上の位置と、合わせて４段以上の位置が識別できるように構成する。
【００６３】
また、各段を識別するためには、必ずしも停止位置が設けられている必要はなく、たとえば、スライドスイッチ１の内部に可変抵抗を設けて、スライドスイッチ１を可動上限位置から可動下限位置まで移動させ、可変抵抗の抵抗値を連続的に変化させた場合に、この抵抗値の変化の結果として生じる電圧変化を携帯電話機３で検知するようにし、この場合のスライドスイッチ１の可動上限位置と可動下限位置に相当する閾値電圧を規定しておく。
【００６４】
併せて、この可動上限位置と可動下限位置の閾値電圧の間を複数の中間位置に分割して弁別する閾値電圧も規定する。この複数の閾値電圧を基に弁別される複数の中間位置を、複数の停止位置と同様に見なして処理することによって、停止位置を持たせた場合のスクロール方法が、そのまま適用できることになる。ただし、この場合にも、スライドスイッチ１から手を離しても、スライドスイッチ１が動かないような実装形態を採るものとする。
【００６５】
上記のように閾値電圧に基づき位置の規定を行う場合、全電圧変化の１／３以下の電圧変化を検知できるようにすれば、４つの閾値を持たせることができる。たとえば、全電圧を１２Ｖにとり、１／３ずつに分圧すると０Ｖ、４Ｖ、８Ｖ、１２Ｖとなり４つの閾値を持たせることができる。
【００６６】
０Ｖを可動下限位置に、１２Ｖを可動上限位置に、４Ｖと８Ｖを複数の中間位置に対応させて処理すればよい。この場合の電圧の検知は、コンパレータを用いて容易に構成可能である。４つの閾値を持たせることにより、上に述べたように本発明によるスクロール方式をそのまま適用できることになる。
【００６７】
【発明の効果】
以上説明したように本発明によれば、スライドスイッチを早く動かせば表示が速く動き、遅く動かせば表示のスクロールも遅くなる。すなわち、画面表示は、使用者の意思に沿って所望の速度でスクロールさせることができる。
【００６８】
また、自動で画面をスクロールさせたいときは、スライドスイッチの可動上限位置、又は可動下限位置までスライドスイッチを動かせば、画面表示を連続的に動かすことができる。この場合、連続スクロール中にデータが行き過ぎたとしても、連続スクロールを停止させたのち、段階的にスライドスイッチを移動させることにより確実にデータの選択が可能になる。
【００６９】
携帯電話機の表示器のデータを連続スクロールさせる可動上限位置、又は可動下限位置の他に、途中に複数の停止位置を備えたスライドスイッチを搭載することによって、所望の速度で画面表示を連続スクロールさせることが可能になる。これにより一度スイッチに触れた後は、表示画面に目的とする表示項目が見つかるまでスイッチを触れ直さなくても選択することが可能になる。
【図面の簡単な説明】
【図１】本発明による携帯電話機の外観図である。
【図２】本発明による携帯電話機の正面図である。
【図３】スライドスイッチ部の構成図である。
【図４】スライドスイッチ部の細部構成図である。
【図５】本発明によるスクロール手順図である。
【図６】階層構造データに対するスクロール手順図である。
【図７】携帯電話機の他の実施例を示す外観図である。
【図８】連続スクロール時のスクロール速度の設定手順である。
【符号の説明】
１、２６  スライドスイッチ
２、２５  表示部
３、２４  携帯電話機
１４  停止位置目盛
１６  スライドスイッチの中心点
２０、２７，２８  表示データ
２１〜２３、２９〜３５  表示画面
【図１】
0003742018.tif 000002
【図２】
0003742018.tif 000003
【図３】
0003742018.tif 000004
【図４】
0003742018.tif 000005
【図５】
0003742018.tif 000006
【図６】
0003742018.tif 000007
【図７】
0003742018.tif 000008
【図８】
0003742018.tif 000009